(57)【特許請求の範囲】
【請求項１】
異極を対向させて適宜間隔を置いて対置される一対のアキシャル円筒磁石と、前記一対の円筒磁石間中心部に非磁性体製押止手段を介して配備される帯磁性ボールと、前記一対の円筒磁石の側面を被覆する磁性体カバーとから成る空気磁化ユニット。
【請求項２】
更に前記磁性体カバーを被覆する非磁性体カバーを含む、請求項１に記載の空気磁化ユニット。
【請求項３】
前記押止手段は、十字形ベースの中心に押止杆を立設した支持材一対から成り、前記帯磁性ボールは前記押止杆の先端面間に挟持される、請求項１又は２に記載の空気磁化ユニット。
【請求項４】
前記磁性体カバーは、前記一対の円筒磁石の側面に磁着する鉄製カバーである、請求項１乃至３のいずれかに記載の空気磁化ユニット。
【請求項５】
前記非磁性体カバーは、前記磁性体カバーに貼着される鉛シートである、請求項２乃至４いずれかに記載の空気磁化ユニット。
【請求項６】
請求項１乃至５のいずれかに記載の空気磁化ユニットを用いた有機物の無機物化装置における磁化ボックス。
【発明の詳細な説明】
【技術分野】
【０００１】
本発明は、空気磁化ユニット及びそれを用いた有機物の無機物化装置における磁化ボックスに関するものであり、より詳細には、産業廃棄物等の有機物を、磁化した空気の作用で低温熱分解処理して無機物化するための装置に用いるのに好適な空気磁化ユニット及びそれを用いた有機物の無機物化装置における磁化ボックスに関するものである。
【背景技術】
【０００２】
産業廃棄物等の有機物を、磁化した空気の作用で低温熱分解処理して無機物化するための装置が種々提案されている（特開２００１−３０４５２０号公報、特開２００６−１５０２９５号公報、特開２００７−１０５７２３号公報、特許第４４８６６７１号公報）。これらの装置には、処理炉内に供給する空気（酸素）を磁化するための磁化ユニットが装備されている。
【先行技術文献】
【特許文献】
【０００３】
【特許文献１】特開２００１−３０４５２０号公報
【特許文献２】特開２００６−１５０２９５号公報
【特許文献３】特開２００７−１０５７２３号公報
【特許文献４】特許第４４８６６７１号
【発明の概要】
【発明が解決しようとする課題】
【０００４】
上記特許文献１，２に記載の焼却炉の空気活性化に使用される磁石ユニットは、同極又は異極磁石の単なる対向配置の構造のため、酸素等の活性化に対する磁石の全磁力線の効果が十分とは言えなかった。この問題を解決することを企図する特許文献３に記載の発明は、前面が正方形状の直方体状をなす磁石５をロ字形状に配列することによりハルバッハ型磁気回路を構成する磁石ユニットを、複数個前後方向に並設するというものであるが、構造が複雑で製造も容易ではない。
【０００５】
また、特許文献４に記載の発明における磁石ユニットは、空気を通流させるパイプを取り巻く環状磁石であり、更にそれを取り巻くように磁気的極性を帯びた灰が充填されるもので、磁石ユニット自体による酸素の活性化作用は強くない。
【０００６】
本発明は、従来技術におけるこのような問題を解決するためになされたもので、シンプルな構成であって、空気流に作用して効率よく空気（酸素）を磁化し得る空気磁化ユニット及びそれを用いた有機物の無機物化装置における磁化ボックスを提供することを課題とする。
【課題を解決するための手段】
【０００７】
上記課題を解決するための請求項１に記載の発明は、異極を対向させて適宜間隔を置いて対置される一対のアキシャル円筒磁石と、前記一対の円筒磁石間中心部に非磁性体製押止手段を介して配備される帯磁性ボールと、前記一対の円筒磁石の側面を被覆する磁性体カバーとから成る空気磁化ユニットである。
【０００８】
一実施形態においては、更に前記磁性体カバーを被覆する非磁性体カバーを含む。
【０００９】
一実施形態においては、前記押止手段は、十字形ベースの中心に押止杆を立設した支持材一対から成り、前記帯磁性ボールは前記押止杆の先端面間に挟持される。
【００１０】
一実施形態においては、前記磁性体カバーは、前記一対の円筒磁石の側面に磁着する鉄製カバーであり、また、前記非磁性体カバーは、前記磁性体カバーに貼着される鉛シートである。
【００１１】
上記課題を解決するための請求項６に記載の発明は、請求項１乃至５のいずれかに記載の空気磁化ユニットを用いた有機物の無機物化装置における磁化ボックスである。
【発明の効果】
【００１２】
本発明に係る空気磁化ユニットは上記のとおりであって、シンプルな構成であって、空気流に作用して効率よく空気（酸素）を磁化でき、有機物の低温熱分解処理装置、その他磁化空気を利用する種々の装置に利用可能という効果がある。
【図面の簡単な説明】
【００１３】
【図１】本発明に係る空気磁化ユニットの構成を示す縦断面図である。
【図２】図１におけるＡ−Ａ線断面図である。
【図３】本発明に係る空気磁化ユニットの構成を示す要部の斜視図である。
【図４】本発明に係る空気磁化ユニットを用いた有機物の無機物化装置の内部構成を示す縦断面図である。
【図５】本発明に係る空気磁化ユニットを用いた有機物の無機物化装置における磁化ボックスの簡略構成図である。
【図６】本発明に係る空気磁化ユニットの磁化ボックスへの組み込み状態を示す縦断面図である。
【発明を実施するための形態】
【００１４】
本発明の実施の形態について、添付図面を参照しつつ詳細に説明する。本発明に係る空気磁化ユニット１は、適宜間隔を置いて対置される一対の円筒磁石２，３と、円筒磁石２，３間中心部に非磁性体製押止手段を介して配備される帯磁性ボールである鋼球４と、円筒磁石２，３の側面を被覆する磁性体カバー８とから成り、好ましくは、更に、磁性体カバー８を被覆する非磁性体カバー９を含む。
【００１５】
円筒磁石２，３は、好ましくはアキシャル異方性のネオジム磁石であり、対向面が異極となるようにされ、互いに吸引し合う配置とされる。
【００１６】
押止手段は、例えば、プラスチック製の十字形ベース６の中心に押止杆７を立設した支持材５を一対、対向配置したものとされ、鋼球４の座面となる押止杆７の先端面に、球面状座面７ａが凹設される。支持材５は、十字形ベース６が円筒磁石２，３の磁極面に宛がわれ、鋼球４は球面状座面７ａ内に収められて挟持される。円筒磁石２，３は、異極面が対向するように配置されるために互いに吸引し合い、一対の支持材５及び鋼球４は、それぞれ両側から狭圧されて、その位置関係を保持し、全体的に円筒形状が維持される。そのため、支持材５を円筒磁石２，３に接着等により固定する必要はなく、また、鋼球４を押止杆７の座面７ａに固定する必要もない。
【００１７】
通例、磁性体カバー８は、厚さが０．１ｍｍ程度の鉄、ニッケル等の薄板であり、一対の円筒磁石２，３の側面に巻き付けて磁着させる。かくして、円筒磁石２，３及びその間の支持材５、並びに、支持材５間の鋼球４の位置関係が一層安定する。また、非磁性体カバー９は、鉛、亜鉛、銅等のシートであり、磁性体カバー８を被覆するように貼着される。
【００１８】
一対の円筒磁石２，３は、このようにその周側面が磁性体である磁性体カバー８に被覆され、更に磁性体カバー８が非磁性体である非磁性体カバー９に被覆される。そして、一方の円筒磁石２の中空部から、鋼球４が配置される中央空間部を通って他方の円筒磁石３の中空部に抜ける空気通路１０が形成される。
【００１９】
かかる構成において、円筒磁石２，３と磁性体カバー８により磁気回路が形成されるが、磁性体カバー８に非磁性体カバー９が被装されるため、磁力線が側方に逃げることはない。また、一方の円筒磁石２から出る磁力線は他方の円筒磁石３に向かうが、磁力線は強磁性体である鋼球４に引き寄せられるため（図１，２における矢印参照）、空気通路１０付近の磁束密度が高まる。そのため、空気通路１０内を通流する空気は、鋼球４付近通過時に強く、効率よく磁化されることになる。
【００２０】
本発明に係る空気磁化ユニットは、主に、その一端面から他端面に抜ける空気通路１０に空気を通流させて、空気中の酸素を磁化する用途に用いられる。図４〜６は、本発明に係る空気磁化ユニットを、産業廃棄物等の有機物を、磁化した酸素の作用で低温熱分解処理して無機物化する有機物の無機物化装置に用いた例を示すものである。熱処理が必要とされる産業廃棄物等の有機物を燃焼により処理する場合、有機物は、十分な酸素（空気）の供給の下に炎を出しながら完全燃焼して灰になるが、熱分解の場合の有機物は、最低限の酸素（空気）の存在下で乾燥分解し、炎を出さずに蒸し焼き状態で灰になり、処理された灰の容積は、有機物の約３００分の１から４００分の１に減容される。      
【００２１】
上記無機物化装置は、この燃料を必要としない熱分解によって有機物を処理して無機物化するための装置であり、この装置は図４に示されるように、上面に投入口２２が設けられ、また、熱処理後に生じたダイオキシン等の有害物質を含む空気を浄化するための気体浄化機２３が付設された本体ケース２１内に、断面Ｖ型底面２４を有する処理炉２５が配備されて構成される。
【００２２】
本体ケース２１には磁化ボックス２６が設置され、そこにおいて磁化された酸素が処理炉２５内に突出する多数の磁化空気供給ノズル２８から供給され、以て、処理炉２５内に投入された有機物が低温熱分解され、Ｖ型底面２４の中央部に配備された排出手段３１によって熱分解により生じた灰が排出される。
【００２３】
本発明に係る空気磁化ユニット１は、上記磁化ボックス２６内に多数配置される各パイプ２７内に組み込まれる（図６参照）。各パイプ２７には、本体ケース２１の外側面に設置されるエアポンプから常時空気が供給され、空気磁化ユニット１を通り抜けることにより、空気中の酸素が磁化される。磁化された酸素を含む空気は、パイプ２７に接続されるステンレス等のフレキシブルホース２９を介し、処理炉２５内下部において内方に向くように多数設置されている各磁化空気供給ノズル２８に送られ、処理炉２５内に放出される。
【００２４】
かくして処理炉２５内がマイナスイオン化された状態となり、空気中や有機物中の水分が、磁力によって弱い電気分解を起こし、水素イオンと水酸イオンに解離する。そして、有機物の炭素分子に磁気エネルギーを持ったイオンが衝突することで熱が発生し、無酸素状態で熱分解が起こるのである。
【産業上の利用可能性】
【００２５】
本発明に係る空気磁化ユニットは上記のとおりであり、シンプルな構成であって、空気流に作用して効率よく空気（酸素）を磁化でき、有機物の低温熱分解処理装置、その他磁化空気を利用する種々の装置に利用可能なる効果があり、その産業上の利用可能性は極めて大である。
【符号の説明】
【００２６】
１            空気磁化ユニット
２，３        円筒磁石
４            鋼球
５            支持材
６            十字形ベース
７            押止杆
８            磁性体カバー
９            非磁性体カバー
１０          空気通路
【要約】
【課題】シンプルな構成であって、空気流に作用して効率よく空気（酸素）を磁化し得る空気磁化ユニットを提供することを課題とする。
【解決手段】異極を対向させて適宜間隔を置いて対置される一対の円筒磁石２，３と、前記一対の円筒磁石２，３間中心部に非磁性体製押止手段を介して配備される帯磁性ボール４と、前記一対の円筒磁石２，３の側面を被覆する磁性体カバー８と、磁性体カバー８を被覆する非磁性体カバー９を含む。押止手段５は、十字形ベース６の中心に押止杆７を立設した支持材５一対から成り、帯磁性ボール４は押止杆７の先端面間に挟持される。
【選択図】図１【図１】
0006811345.tif 000002
【図２】
0006811345.tif 000003
【図３】
0006811345.tif 000004
【図４】
0006811345.tif 000005
【図５】
0006811345.tif 000006
【図６】
0006811345.tif 000007